(57)【要約】【課題】  高給水時の冷媒通過音を低減させる。【解決手段】  湯水通路１２ｂに流入する湯水の流入温度を検出する給水温度センサ２１と、コンプレッサ１１の能力を算出する圧縮機能力算出手段とを設け、制御装置１８は、給水温度センサ２１で検出される流入温度が所定値以上となった場合、膨張弁１３を所定開度にするとともに、流入温度に基づいてコンプレッサ１１の能力を可変するようにしている。  これは、従来、外気温度のみで決めていたコンプレッサ１１の回転数による能力を、高給水状態に移行したときには下げてやり、減圧装置１３の絞り開度を所定開度までに抑制して冷媒循環量を抑えることで冷媒通過音による騒音上昇を抑えるものである。これによれば、高給水時の冷媒通過音を低減することができる。また、従来貼り付けていたブチルゴムなどの遮音材を廃止することができ、コストを下げることができる。【選択図】    図１
2007010214.tif 000002
【特許請求の範囲】
【請求項１】
冷媒を圧縮する冷媒圧縮機（１１）、冷媒水熱交換器（１２）の冷媒通路（１２ａ）、減圧手段（１３）、および冷媒蒸発器（１４）を冷媒配管で環状に接続した冷媒回路と、
前記冷媒水熱交換器（１２）の湯水通路（１２ｂ）、貯湯側から湯を貯湯して行く貯湯タンク（１６）、および循環ポンプ（１７）を湯水配管で環状に接続した給湯回路と、
前記冷媒圧縮機（１１）、前記減圧手段（１３）、前記循環ポンプ（１７）を制御する制御手段（１８）とを備え、
前記制御手段（１８）が前記冷媒圧縮機（１１）および前記循環ポンプ（１７）を作動させて、前記冷媒通路（１２ａ）を通過する高温の冷媒により前記湯水通路（１２ｂ）を通過する湯水を加熱するヒートポンプ式給湯装置であり、
前記湯水通路（１２ｂ）に流入する湯水の流入温度を検出する流入温度検出手段（２１）と、
前記冷媒圧縮機（１１）の能力を算出する圧縮機能力算出手段とを設け、
前記制御手段（１８）は、前記流入温度検出手段（２１）で検出される前記流入温度が所定値以上となった場合、前記減圧手段（１３）を所定開度にするとともに、前記流入温度に基づいて前記冷媒圧縮機（１１）の能力を可変することを特徴とするヒートポンプ式給湯装置。
【請求項２】
冷媒を圧縮する冷媒圧縮機（１１）、冷媒水熱交換器（１２）の冷媒通路（１２ａ）、減圧手段（１３）、および冷媒蒸発器（１４）を冷媒配管で環状に接続した冷媒回路と、
前記冷媒水熱交換器（１２）の湯水通路（１２ｂ）、貯湯側から湯を貯湯して行く貯湯タンク（１６）、および循環ポンプ（１７）を湯水配管で環状に接続した給湯回路と、
前記冷媒圧縮機（１１）、前記減圧手段（１３）、前記循環ポンプ（１７）を制御する制御手段（１８）とを備え、
前記制御手段（１８）が前記冷媒圧縮機（１１）および前記循環ポンプ（１７）を作動させて、前記冷媒通路（１２ａ）を通過する高温の冷媒により前記湯水通路（１２ｂ）を通過する湯水を加熱するヒートポンプ式給湯装置であり、
前記湯水通路（１２ｂ）に流入する湯水の流入温度を検出する流入温度検出手段（２１）と、
前記冷媒圧縮機（１１）の能力を算出する圧縮機能力算出手段とを設け、
前記制御手段（１８）は、前記流入温度検出手段（２１）で検出される前記流入温度が所定値以上となった場合、前記減圧手段（１３）の開度を維持したまま、前記流入温度に基づいて前記冷媒圧縮機（１１）の能力を可変することを特徴とするヒートポンプ式給湯装置。
【請求項３】
前記制御手段（１８）は、前記流入温度が高いほど前記冷媒圧縮機（１１）の能力が低くなる様に可変することを特徴とする請求項１または請求項２に記載のヒートポンプ式給湯装置。
【請求項４】
前記制御手段（１８）は、前記流入温度が所定値未満である通常運転においても前記流入温度に基づいて前記冷媒圧縮機（１１）の能力を可変することを特徴とする請求項１ないし請求項３のいずれか１項に記載のヒートポンプ式給湯装置。
【発明の詳細な説明】
【技術分野】
【０００１】
本発明は、冷媒水熱交換器の冷媒通路を通過する高温の冷媒と、冷媒水熱交換器の湯水通路を通過する湯水とを熱交換して湯水を加熱するヒートポンプ式給湯装置に関するものである。
【背景技術】
【０００２】
従来、冷媒を圧縮する冷媒圧縮機、冷媒水熱交換器の冷媒通路、減圧装置、および冷媒蒸発器を冷媒配管で環状に接続した冷媒回路と、冷媒水熱交換器の湯水通路、貯湯側から湯を貯湯していく貯湯タンク、および循環ポンプを湯水配管で環状に接続した給湯回路と、冷媒圧縮機、減圧装置、循環ポンプを制御する制御装置とを備え、制御装置が冷媒圧縮機および循環ポンプを作動させて、冷媒通路を通過する高温の冷媒により湯水通路を通過する湯水を加熱するヒートポンプ式の給湯装置が知られている。
【０００３】
このような給湯装置においては、絞り開度（冷媒流量）を可変できる減圧装置を用い、適切な開度調整を行うことによってヒートポンプサイクル内のバランスを整え、加熱能力を確保している。つまり、通常運転時は冷媒圧縮機から吐出される冷媒が高圧になるよう減圧装置の絞り開度を絞り気味に推移させ、高温高圧力の冷媒を冷媒水熱交換器に流入させ、冷媒の熱を水に伝熱させて湯に変え、その湯を貯湯タンクに送り込んで蓄えている。
【０００４】
この貯湯タンクとヒートポンプユニットとは閉回路で水回路が形成されており、貯湯タンク内の水が全て指定された温度の湯になった時にヒートポンプユニットの運転が停止する。この時、貯湯タンク内の水の温度が低く、ヒートポンプユニットに流入する水の温度が低い間は、より高い温度に高圧側を維持するため、減圧装置の絞り開度を絞り気味にコントロールしている。
【特許文献１】特開２００３−１３９４１９号公報
【発明の開示】
【発明が解決しようとする課題】
【０００５】
しかしながら、貯湯タンク内が全て指定された温度の湯になる直前には、ヒートポンプユニットに流れ込む水の温度も上昇する（いわゆる高給水状態）。このため、作り出す湯の温度との差（ΔＴ）が小さくなって加熱能力が余り気味となり、絞り開度をそのまま維持すると、高圧圧力が上昇して機器の耐圧を超えてしまうおそれがあるため、減圧装置の絞り開度を開いて高圧を下げるようコントロールする。
【０００６】
この際、従来は冷媒圧縮機の回転スピードをそのままに維持しているため、絞り開度を開けることでサイクル内を流れる冷媒循環量が増大する。その結果、冷媒の流速も増加するため冷媒通過音が発生するという問題がある。特に、深夜電力を利用した給湯機システムにおいては、貯湯タンク内が指定温度に湧き上がる明け方に冷媒通過音が発生し易くなるため、騒音クレームに繋がるおそれがある。
【０００７】
このため従来は、冷媒通過音を低減する対策としてブチルゴムのような遮音材を配管などに巻き付けてマスキングを行う手法が用いられているが、大幅なコストアップとなり最良な対策とは言えない。本発明は、上記従来の問題に鑑みて成されたものであり、その目的は、高給水時の冷媒通過音を低減させることのできるヒートポンプ式給湯装置を提供することにある。
【課題を解決するための手段】
【０００８】
本発明は上記目的を達成するために、請求項１ないし請求項４に記載の技術的手段を採用する。すなわち、請求項１に記載の発明では、冷媒を圧縮する冷媒圧縮機（１１）、冷媒水熱交換器（１２）の冷媒通路（１２ａ）、減圧手段（１３）、および冷媒蒸発器（１４）を冷媒配管で環状に接続した冷媒回路と、
冷媒水熱交換器（１２）の湯水通路（１２ｂ）、貯湯側から湯を貯湯して行く貯湯タンク（１６）、および循環ポンプ（１７）を湯水配管で環状に接続した給湯回路と、
冷媒圧縮機（１１）、減圧手段（１３）、循環ポンプ（１７）を制御する制御手段（１８）とを備え、
制御手段（１８）が冷媒圧縮機（１１）および循環ポンプ（１７）を作動させて、冷媒通路（１２ａ）を通過する高温の冷媒により湯水通路（１２ｂ）を通過する湯水を加熱するヒートポンプ式給湯装置であり、
湯水通路（１２ｂ）に流入する湯水の流入温度を検出する流入温度検出手段（２１）と、
冷媒圧縮機（１１）の能力を算出する圧縮機能力算出手段とを設け、
制御手段（１８）は、流入温度検出手段（２１）で検出される流入温度が所定値以上となった場合、減圧手段（１３）を所定開度にするとともに、流入温度に基づいて冷媒圧縮機（１１）の能力を可変することを特徴としている。
【０００９】
これは、従来、外気温度のみで決めていた冷媒圧縮機（１１）の回転数による能力を、高給水状態に移行したときには下げてやり、減圧装置（１３）の絞り開度を所定開度までに抑制して冷媒循環量を抑えることで冷媒通過音による騒音上昇を抑えるものである。この請求項１に記載の発明によれば、高給水時の冷媒通過音を低減することができる。また、従来貼り付けていたブチルゴムなどの遮音材を廃止することができ、コストを下げることができる。
【００１０】
また、請求項２に記載の発明では、冷媒を圧縮する冷媒圧縮機（１１）、冷媒水熱交換器（１２）の冷媒通路（１２ａ）、減圧手段（１３）、および冷媒蒸発器（１４）を冷媒配管で環状に接続した冷媒回路と、
冷媒水熱交換器（１２）の湯水通路（１２ｂ）、貯湯側から湯を貯湯して行く貯湯タンク（１６）、および循環ポンプ（１７）を湯水配管で環状に接続した給湯回路と、
冷媒圧縮機（１１）、減圧手段（１３）、循環ポンプ（１７）を制御する制御手段（１８）とを備え、
制御手段（１８）が冷媒圧縮機（１１）および循環ポンプ（１７）を作動させて、冷媒通路（１２ａ）を通過する高温の冷媒により湯水通路（１２ｂ）を通過する湯水を加熱するヒートポンプ式給湯装置であり、
湯水通路（１２ｂ）に流入する湯水の流入温度を検出する流入温度検出手段（２１）と、
冷媒圧縮機（１１）の能力を算出する圧縮機能力算出手段とを設け、
制御手段（１８）は、流入温度検出手段（２１）で検出される流入温度が所定値以上となった場合、減圧手段（１３）の開度を維持したまま、流入温度に基づいて冷媒圧縮機（１１）の能力を可変することを特徴としている。
【００１１】
これも、高給水状態に移行したときに減圧装置（１３）の絞りが開くことを抑制し、その分冷媒圧縮機（１１）の回転数による能力を下げることで冷媒循環量を抑え、冷媒通過音による騒音上昇を抑えるものである。この請求項２に記載の発明によっても、高給水時の冷媒通過音を低減することができる。また、従来貼り付けていたブチルゴムなどの遮音材を廃止することができ、コストを下げることができる。また、請求項１の所定開度よりも絞ることとなり、その分だけ冷媒圧縮機（１１）の能力を抑えることより、消費電力も少なくすることができる。
【００１２】
また、請求項３に記載の発明では、請求項１または請求項２に記載のヒートポンプ式給湯装置において、制御手段（１８）は、流入温度が高いほど冷媒圧縮機（１１）の能力が低くなる様に可変することを特徴としている。この請求項３に記載の発明によれば、具体的には、高給水状態となって流入温度が高くなり、作り出す湯の温度との差（ΔＴ）が小さくなるほど冷媒圧縮機（１１）の回転数による能力を抑えて加熱能力が過剰となることを抑えることとなる。
【００１３】
また、請求項４に記載の発明では、請求項１ないし請求項３のいずれか１項に記載のヒートポンプ式給湯装置において、制御手段（１８）は、流入温度が所定値未満である通常運転においても流入温度に基づいて冷媒圧縮機（１１）の能力を可変することを特徴としている。この請求項４に記載の発明によれば、従来の外気温度による圧縮機回転数一定制御と併用して制御を切り換える必要がなくなるため、制御が簡単になり給湯装置のコストも抑えることができる。ちなみに、上記各手段の括弧内の符号は、後述する実施形態に記載の具体的手段との対応関係を示す一例である。
【発明を実施するための最良の形態】
【００１４】
（第１実施形態）
本発明の第１実施形態（請求項１、３に対応）を、図１〜図４に基づいて説明する。図１は本発明の実施形態に係る給湯装置１０の構成模式図であり、図２は本発明の第１実施形態における給湯装置１０の作動を示すフローチャートである。また、図３は図２の制御で用いるコンプレッサ回転数決定グラフであり、図４は図２の制御におけるタイムチャートである。
【００１５】
給湯装置１０は、大別してヒートポンプユニット１０ａと貯湯タンクユニット１０ｂとからなる。ヒートポンプユニット１０ａには、冷媒を圧縮するコンプレッサ（冷媒圧縮機）１１、冷媒水熱交換器１２の冷媒通路１２ａ、膨張弁（減圧手段）１３、および冷媒蒸発器１４を冷媒配管で環状に接続してなる冷媒回路Ｒと、冷媒水熱交換器１２の湯水通路１２ｂ、循環ポンプ１７、および貯湯タンク１６を湯水配管で環状に接続してなる給湯回路Ｋと、コンプレッサ１１、循環ポンプ１７、および膨張弁１３を制御する制御装置（制御手段）１８を備えている。
【００１６】
そして、制御装置１８が、コンプレッサ１１、循環ポンプ１７、膨張弁１３を制御してヒートポンプ運転を行い、冷媒通路１２ａを通過する高温の冷媒と、湯水通路１２ｂを通過する湯水とを熱交換して湯水を加熱する。コンプレッサ１１は、図示しない電気モータによって駆動される電動コンプレッサであり、吸引したガス冷媒（本実施例では臨界圧力の低いＣＯ２）を臨界圧力以上に圧縮して吐出する。
【００１７】
このコンプレッサ１１は、吐出側の高圧冷媒圧力が冷媒の臨界点を越える圧力となる様に運転されている。このため、冷媒水熱交換器１２の出口側の冷媒が超臨界状態となるので、熱交換の状態により冷媒がどの相域にも変化する。なお、コンプレッサ１１の冷媒吐出量は、電気モータの回転数に応じて可変可能である。
【００１８】
冷媒水熱交換器１２は、コンプレッサ１１で圧縮された高温高圧のガス冷媒と湯水とを熱交換するものであり、冷媒が通過する冷媒通路１２ａと、湯水が通過する湯水通路１２ｂとが隣接して設けられ、冷媒の流れ方向と湯水の流れ方向とが対向する様に構成されている。
【００１９】
膨張弁１３は、冷媒水熱交換器１２の冷媒通路１２ａと冷媒蒸発器１４との間を接続する冷媒回路中に設けられており、冷媒通路１２ａを通過して冷却された冷媒が膨張弁１３を通過する際に減圧されて冷媒蒸発器１４に送られる。なお、膨張弁１３は、制御装置１８からの出力によって弁開度を可変制御できる電気式膨張弁となっている。冷媒蒸発器１４は、室外ファン１４ａによる送風を受けて、膨張弁１３で減圧した冷媒と外気とを熱交換して冷媒を蒸発させる。
【００２０】
なお、室外ファン１４ａも制御装置１８からの出力によって駆動制御されている。１５は、冷媒蒸発器１４から流出する冷媒を気液分離し、ガス冷媒だけをコンプレッサ１１に吸引させるとともに、分離した液冷媒を溜めておくアキュームレータである。循環ポンプ１７は、貯湯タンク１６内の湯水が、底部出口１６ａから冷媒水熱交換器１２の湯水通路１２ｂを経て、上部入口１６ｂから貯湯タンク１６内へ戻る水流を発生させる。
【００２１】
制御装置１８は、循環ポンプ１７の回転数を図示しないポンプモータへの通電量を制御することにより行い、沸き上げ温度センサ２２で検出する沸き上げ温度が目標給湯温度となるよう給湯回路Ｋの循環流量の調整を行う。貯湯タンク１６は、耐蝕性に優れた金属（例えばステンレス）で形成され、給湯用の温水を長時間に亘って保温可能な断熱構造を備える。そして、貯湯タンク１６内の温水は、台所・風呂・床暖房・室内暖房・浴室乾燥などに用いられる。
【００２２】
２０は外気温度を検出する外気温度センサ、２１は冷媒水熱交換器１２の湯水通路１２ｂに流入する湯水の温度を検出する給水温度センサ（流入温度検出手段）、２２は冷媒水熱交換器１２の湯水通路１２ｂから流出する湯の温度を検出する沸き上げ温度センサである。これらのセンサで得られる検出値は制御装置１８に入力される。なお、図１中の１９は、使用者が設定温度などを入力するリモコンや操作パネルなどの入力手段である。
【００２３】
次に、給湯装置１０の作動を図２に示すフローチャートに基づいて述べる。図２は、本発明の第１実施形態における給湯装置１０の作動を示すフローチャートである。ステップＳ１１では、制御装置１８がヒートポンプの運転指令を出すか否かを判定し、判定結果がＮＯで運転指令を出さない場合はステップＳ１１の判定を繰り返し、判定結果がＹＥＳで運転指令を出す場合はステップＳ１２に進む。
【００２４】
なお、以下の場合に、制御装置１８がヒートポンプの運転指令を出す。使用者が操作スイッチを手動でＯＮにしてヒートポンプの運転を指示した時。安い深夜電力が利用できる深夜時間になった時。貯湯タンク１６内に貯湯された温が使用されて著しく減った時。
【００２５】
ステップＳ１２では、給水温度センサ２１で検出される湯水通路１２ｂに流入する湯水の温度が所定値（例えば、４０℃）以上であるか否かを判定する。その判定結果がＮＯで、流入温度が所定温度より低い場合にはステップＳ１３ａに進み、外気温度センサ２０での検出値に基づいて圧縮機回転数一定制御を行うものである。
【００２６】
また、ステップＳ１２での判定結果がＹＥＳで、流入温度が所定温度よりも高くなった場合にはステップＳ１４ａに進み、本発明の要部である高給水制御を行うものである。これは、膨張弁１３の絞り解度を所定開度にするとともに、図３のコンプレッサ回転数決定グラフに基づき、流入温度に対応するコンプレッサ回転数に可変させるものである。これは、流入温度が高いほどコンプレッサ１１の回転数による能力が低くなる様に可変することとなる。
【００２７】
ステップＳ１５では、制御装置１８がヒートポンプの停止指令を出すか否かを判定し、判定結果がＹＥＳで停止指令を出す場合はヒートポンプ運転を停止し、判定結果がＮＯで運転指令を出さない場合はステップＳ１２へ戻って流入温度の判定から繰り返す。なお、以下の場合に、制御装置１８がヒートポンプの停止指令を出す。
【００２８】
使用者が操作スイッチを手動でＯＦＦにしてヒートポンプの停止を指示した時。安い深夜電力が利用できる深夜時間が終了した時。貯湯タンク１６内に充分な量の温が貯湯された状態で、貯湯タンク１６内の温が使用されなくなった時。
【００２９】
その結果、ヒートポンプの運転開始から運転終了までの時間に対して、流入温度・コンプレッサ回転数・膨張弁の絞り開度、それぞれの推移は図４のタイムチャートに示すようになる。まず、制御装置１８がヒートポンプの運転指令を出すと、外気温度センサ２０にて外気温度を検知し、その外気温度に応じてあらかじめ設定されたコンプレッサ回転数となるよう制御しながらヒートポンプを運転する。
【００３０】
また、水側の昇温については、操作パネル１９で設定された目標温度（例えば９０℃）となるよう冷媒水熱交換器１２を通過する水量を循環ポンプ１７で制御する。このとき、膨張弁１３は、冷媒水熱交換器１２に流入する冷媒の圧力と温度とが充分に水を設定された目標温度に到達するよう、流量を絞り気味に制御する。
【００３１】
通常運転領域では、水の温度および外気温度が殆ど変わらないので、コンプレッサ回転数や絞り開度は安定状態を保った制御で推移するが、貯湯タンク１６が満水に近づくと、給水側の水の温度が上昇し始め、所定温度を超えると高給水運転領域に入る。この場合、コンプレッサ回転数を一定に保ち続けると、水側の目標温度と給水温度との差（ΔＴ）が小さくなることで、加熱能力が過剰となり、高圧の異常上昇につながる。
【００３２】
このため、膨張弁１３の絞り開度を開き冷媒流量を増加することで、高圧圧力の抑制をすることができるが、冷媒流速が増加することによる冷媒通過音の上昇の原因となるため、膨張弁１３の絞りを冷媒通過音が目標騒音レベル以下となる所定開度に制御し、コンプレッサ回転数を減少させることによって高圧の圧力上昇を抑制し、結果、冷媒循環量を抑制でき冷媒通過音発生を防止できる。
【００３３】
つまり、高給水運転領域に入ったら、膨張弁１３の絞り開度を開くことによる高圧抑制を行うのではなく、コンプレッサ回転数を給水温度に応じて減少させることで、膨張弁１３の絞り開度を開かなくとも、水を昇温する加熱能力を維持しながら、冷媒通過音を抑制することができ、騒音上昇を防止することができる。従って、従来、冷媒通過音の低減のために使用していたブチルゴムパッキンなどの遮音材を一切使用せず、制御にて騒音上昇を回避できることから、コストも抑えることができる。
【００３４】
次に、本実施形態での特徴と、その効果について述べる。まず、冷媒を圧縮するコンプレッサ１１、冷媒水熱交換器１２の冷媒通路１２ａ、膨張弁１３、および冷媒蒸発器１４を冷媒配管で環状に接続した冷媒回路と、冷媒水熱交換器１２の湯水通路１２ｂ、貯湯側から湯を貯湯して行く貯湯タンク１６、および循環ポンプ１７を湯水配管で環状に接続した給湯回路と、コンプレッサ１１、膨張弁１３、循環ポンプ１７を制御する制御装置１８とを備え、制御装置１８がコンプレッサ１１および循環ポンプ１７を作動させて、冷媒通路１２ａを通過する高温の冷媒により湯水通路１２ｂを通過する湯水を加熱するヒートポンプ式給湯装置であり、
湯水通路１２ｂに流入する湯水の流入温度を検出する給水温度センサ２１と、コンプレッサ１１の能力を算出する圧縮機能力算出手段とを設け、制御装置１８は、給水温度センサ２１で検出される流入温度が所定値以上となった場合、膨張弁１３を所定開度にするとともに、流入温度に基づいてコンプレッサ１１の能力を可変するようにしている。
【００３５】
これは、従来、外気温度のみで決めていたコンプレッサ１１の回転数による能力を、高給水状態に移行したときには下げてやり、減圧装置１３の絞り開度を所定開度までに抑制して冷媒循環量を抑えることで冷媒通過音による騒音上昇を抑えるものである。これによれば、高給水時の冷媒通過音を低減することができる。また、従来貼り付けていたブチルゴムなどの遮音材を廃止することができ、コストを下げることができる。
【００３６】
また、制御装置１８は、流入温度が高いほどコンプレッサ１１の能力が低くなる様に可変するようにしている。これによれば、具体的には、高給水状態となって流入温度が高くなり、作り出す湯の温度との差（ΔＴ）が小さくなるほどコンプレッサ１１の回転数による能力を抑えて加熱能力が過剰となることを抑えることとなる。
【００３７】
（第２実施形態）
本発明の第２実施形態（請求項４に対応）を、図５・図６に基づいて説明する。図５は、本発明の第２実施形態における給湯装置の作動を示すフローチャートであり、図６は図５の制御におけるタイムチャートである。図２のフローチャートに対して異なるのはステップＳ１３のみである。
【００３８】
上述の第１実施形態では流入温度が所定値未満の場合には外気温度による圧縮機回転数一定運転（ステップＳ１３ａ）としていたが、本実施形態では給水温度による圧縮機回転数一定運転（ステップＳ１３ｂ）としている。つまり、通常運転領域においても給水温度によってコンプレッサ回転数を制御することで、高給水領域でのコンプレッサ回転数の可変がスムーズに移行できる。
【００３９】
上述した実施形態と異なる特徴部分を説明する。本実施形態では、制御装置１８は、流入温度が所定値未満である通常運転においても流入温度に基づいてコンプレッサ１１の能力を可変するようにしている。これによれば、従来の外気温度による圧縮機回転数一定制御と併用して制御を切り換える必要がなくなるため、制御が簡単になり給湯装置のコストも抑えることができる。
【００４０】
（第３実施形態）
本発明の第３実施形態（請求項２に対応）を、図７・図８に基づいて説明する。図７は、本発明の第３実施形態における給湯装置の作動を示すフローチャートであり、図８は図７の制御におけるタイムチャートである。図２・図５のフローチャートに対して異なるのはステップＳ１４のみである。
【００４１】
第１実施形態ないし第２実施形態の運転条件において流入温度が所定値以上となった場合には、膨張弁１３の開度を通常運転開度のまま維持して高給水時にも可変させず、コンプレッサ回転数のみで制御するものである。この場合、コンプレッサ回転数の減速巾は大きくなり、コンプレッサ１１の消費する電力も抑制できることから、消費電力低減が図れる。
【００４２】
上述した実施形態と異なる特徴部分を説明する。本実施形態では、冷媒を圧縮するコンプレッサ１１、冷媒水熱交換器１２の冷媒通路１２ａ、膨張弁１３、および冷媒蒸発器１４を冷媒配管で環状に接続した冷媒回路と、冷媒水熱交換器１２の湯水通路１２ｂ、貯湯側から湯を貯湯して行く貯湯タンク１６、および循環ポンプ１７を湯水配管で環状に接続した給湯回路と、コンプレッサ１１、膨張弁１３、循環ポンプ１７を制御する制御装置１８とを備え、制御装置１８がコンプレッサ１１および循環ポンプ１７を作動させて冷媒通路１２ａを通過する高温の冷媒により湯水通路１２ｂを通過する湯水を加熱するヒートポンプ式給湯装置であり、
湯水通路１２ｂに流入する湯水の流入温度を検出する給水温度センサ２１と、コンプレッサ１１の能力を算出する圧縮機能力算出手段とを設け、制御装置１８は、給水温度センサ２１で検出される流入温度が所定値以上となった場合、膨張弁１３の開度を維持したまま、流入温度に基づいてコンプレッサ１１の能力を可変するようにしている。
【００４３】
これも、高給水状態に移行したときに減圧装置１３の絞りが開くことを抑制し、その分コンプレッサ１１の回転数による能力を下げることで冷媒循環量を抑え、冷媒通過音による騒音上昇を抑えるものである。これによっても、高給水時の冷媒通過音を低減することができる。また、従来貼り付けていたブチルゴムなどの遮音材を廃止することができ、コストを下げることができる。また、第１・第２実施形態の所定開度よりも絞ることとなり、その分だけコンプレッサ１１の能力を抑えることより、消費電力も少なくすることができる。
【図面の簡単な説明】
【００４４】
【図１】本発明の実施形態に係る給湯装置１０の構成模式図である。
【図２】本発明の第１実施形態における給湯装置１０の作動を示すフローチャートである。
【図３】図２の制御で用いるコンプレッサ回転数決定グラフである。
【図４】図２の制御におけるタイムチャートである。
【図５】本発明の第２実施形態における給湯装置の作動を示すフローチャートである。
【図６】図５の制御におけるタイムチャートである。
【図７】本発明の第３実施形態における給湯装置の作動を示すフローチャートである。
【図８】図７の制御におけるタイムチャートである。
【符号の説明】
【００４５】
１１…コンプレッサ（冷媒圧縮機）
１２…冷媒水熱交換器
１２ａ…冷媒通路
１２ｂ…湯水通路
１３…膨張弁（減圧手段）
１４…冷媒蒸発器
１６…貯湯タンク
１７…循環ポンプ
１８…制御装置（制御手段）
２１…給水温度センサ（流入温度検出手段）
【図１】
2007010214.tif 000003
【図２】
2007010214.tif 000004
【図３】
2007010214.tif 000005
【図４】
2007010214.tif 000006
【図５】
2007010214.tif 000007
【図６】
2007010214.tif 000008
【図７】
2007010214.tif 000009
【図８】
2007010214.tif 000010